(57)【要約】  本発明は、電磁空洞共振器および音響共鳴器を応用した、共鳴ナノ微粒子プラズマを用いた再生可能エネルギー生成プロセスである。プロセス中、音響共振器は電磁空洞共振器内に置かれ、サブミクロンサイズの炭素ナノ微粒子（１）、水素同位体および他のガスでできたコンプレックスプラズマを用いて１０Ｐａ〜５００ｋＰａ、約２，０００℃で一連の音響共鳴を発生し、こうして振動並びに１０ｋＨｚ〜５ＧＨｚおよびテラヘルツ範囲で振動する炭素微粒子表面のプラズモンポラリトンを生成し、熱または電気エネルギーを生成し、もしくは一連の核変換を生ずる。  本発明は、電磁場によって励起される電磁空洞共振器（３０）、および音響共振器（１０）によって形成される再生可能熱を生成する実施形態である。  いくつかの音響共鳴によって作動する音響共振器（１０）中にはナノサイズの微粒子（１）が存在する。電磁空洞共振器（３０）は、円柱状、球状または矩形状であり、鏡面状の内表面（３１）を有する。そしてその中に、耐熱性の電気絶縁材で作製された円柱状または球状の音響共振器（１０）が搭載されている。  音響共振器（１０）は、少なくとも１個の入口同調開口（２１）と１個の出口同調開口（２０）を有し、さらに断熱性の透明ガラス管（２９）または耐熱ガラス（３３）で包囲されている。また１ＧＨｚよりも高い周波数の電磁波を発生可能な振動子（１２）によって駆動される導波路（１７）を有する。図１１。  本発明の更なる実施形態は、ナノ微粒子（１）の共鳴ナノ微粒子プラズマ、同心球状の内部電極（５０）と外部電極（５１）により作動する再生可能電気エネルギー生成装置である。内部電極（５０）は電力供給装置に接続され、電機子としての外部電極（５１）は負荷装置（８４）に接続されている。電力供給装置は、振動子（１２）、一次コイル（５５）、二次コイル（５４）および電源（４０）からなる。負荷装置（８４）は外部電極（５１）に振動回路を介して接続されている。図１３。  本発明の更なる実施形態は、振動子（１２）によって、またはマグネトロンおよび共鳴電磁回路によって駆動され、音響共振器（１０）も含むエネルギー生成装置であり、音響共振器（１０）はナノ微粒子（１）を含む。図９。
2014522480.tif 000002
【特許請求の範囲】
【請求項１】
共鳴ナノ微粒子プラズマを用いた再生可能エネルギー生成プロセスであって、
前記再生可能エネルギー生成プロセスは、
電磁空洞共振器、前記電磁空洞共振器内に置かれて共振器ユニットを形成する音響共振器と、前記共振器ユニットによって生ずる音響共鳴と、を応用し、
前記音響共鳴は、
質量比１％未満の水素同位体と好ましくはこれに空気を加えた混合物、または質量比１％未満の水素同位体と好ましくはこれに１％水素とヘリウムを加えた混合物、のいずれかと、
１００ナノメートル程度および全炭素質量０．５ｇ未満のサブミクロンサイズ炭素微粒子と、から、
周波数スペクトル５Ｈｚ〜５ＧＨｚ、１，０００℃〜３，０００℃および平均２，０００℃の温度で１２０ｄＢを超えて生成され、
外部励起場の出力密度が２，０００Ｗ／ｄｍ3未満であり、電磁波が電磁空洞共振器の内表面で反射され、それによって炭素微粒子の表面に振動を生じて電場増幅を起こし、
こうして１０ｋＨｚ〜５ＧＨｚおよびＴＨｚ（テラヘルツ）範囲で振動するプラズモンポラリトンを用いたエネルギー生成および核変換プロセスを生じ、熱または電気エネルギーを生成すること、もしくは核変換を生ずることを特徴とする再生可能エネルギー生成プロセス。
【請求項２】
電磁波によって励起される電磁空洞共振器および音響共振器から構築される再生可能熱発生装置であって、
ナノサイズ微粒子が、鏡面状の内表面を有する矩形状または円柱状の電磁空洞共振器に特定の周波数で振動し、
前記電磁空洞共振器中に電気絶縁耐熱性材料で製作された音響共振器が置かれ、
前記音響共振器は円柱状であり、少なくとも１つの同調開口を入口側と出口側の各々に有するとともに絶縁脚上に載置され、
さらに前記音響共振器が、
１ＧＨｚを超える周波数で電磁波を生成する振動子に接続された導波路を介して、前記音響共振器を大気圧以上で少なくとも平均温度２，０００℃に加熱できるように透明な断熱管に納められることを特徴とする再生可能熱発生装置。
【請求項３】
電磁場によって励起される電磁空洞共振器およびいくつかの音響共鳴を有する音響共振器によって形成され、共鳴プラズマがナノサイズ微粒子を含む再生可能熱発生装置であって、
球状の電磁空洞共振器が球状の音響共振器を包囲し、
前記電磁空洞共振器が、透明耐熱ガラスで覆われた鏡面状の内表面を有し、
前記音響共振器が、耐熱セラミック材料から成るとともに少なくとも１つの同調開口を入口側と出口側の各々に有し、さらに絶縁脚上に載置され、大気圧以上で少なくとも平均温度２，０００℃で運転されることを特徴とする再生可能熱発生装置。
【請求項４】
同心球状の内部電極および外部電極における共鳴微粒子プラズマにより作動し、それによって前記内部電極が電力供給装置に接続され、前記外部電極が負荷装置に接続され、
入力電力が、電源，振動子，一次コイル，二次コイルによって供給され、
前記負荷装置が、振動回路を介して前記外部電極に接続された再生可能電気エネルギー生成装置であって、
前記内部電極が、
数ｋＨｚ〜数ＭＨｚの振動周波数で作動する炭素またはカルボシリカートから成り、二次側変成器の一方側の端部に接続され、前記二次側変成器の他方側の端部は接地され、さらに前記外部電極から絶縁されており、
前記外部電極が、
球状であり、電気絶縁耐熱層で覆われた鏡面状の内表面を備え、
さらに前記再生可能電気エネルギー生成装置が、
約２０Ｐａで作動し、最高温度５００℃で適切に運転され、さらに前記外部電極が同調振動回路に単線を介して接続されていることを特徴とする再生可能電気エネルギー生成装置。
【請求項５】
集中定数を有し、振動子および共振回路を備え、微粒子を有する音響共振器を含むエネルギー生成装置であって、
最高１０ＭＨｚ周波数の石英またはパイレックス（登録商標）製の円柱状または球状の音響共振器が、共鳴振動回路を用いるかまた別の構成により、振動容量または誘導駆動プラズマに連結され、
それによって前記音響共振器が、導波路を介して駆動された電磁空洞共振器内で駆動されることを特徴とするエネルギー生成装置。
【請求項６】
前記電磁空洞共振器が、前記電磁空洞共振器内の音響共鳴ピークの最大数の微同調を可能にする、長さおよび直径の調節が可能な入口管を有することを特徴とする請求項２、３、５のいずれかに記載の装置。
【請求項７】
制御された様式で添加された重水素、リチウムおよびホウ素を用いて、並びに音響周波数の同調によって、核変換の品質に影響を及ぼす請求項２または３に記載の再生可能熱発生装置を、直列に配置したことを特徴とする請求項１に記載の再生可能エネルギー生成プロセス。
【請求項８】
共振器ユニットの入口管が、内燃機関につなげられた緩衝装置の排気管に接続され、
排ガスが、ナノサイズ炭素微粒子およびガスに熱運動化される前記共振器ユニットに導入され、
さらに、前記ナノサイズ炭素微粒子が前記共振器ユニットの出口管を介して除去され、
前記出口管から出た高温ガスが、スターリングエンジンに導入され、次いで熱交換器に導入され、水が部分的に凝縮されて前記熱交換器の管を介して除去され、
残りのガスが、前記内燃機関の空気取入口に再導入される閉循環回路であることを特徴とする請求項１に記載の再生可能エネルギー生成プロセス。
【請求項９】
共振器ユニットが、流出ＣＯ2ガスを熱運動化するために内燃機関につなげられた緩衝装置の排気管に接続され、
前記共振器ユニットの出口管が外部燃焼機関に接続され、
前記外部燃焼機関に触媒式排気ガス浄化装置が接続されることを特徴とする請求項２に記載の再生可能熱発生装置。
【請求項１０】
共振器ユニットが、流出ＣＯ2ガスを熱運動化するために内燃機関につなげられた緩衝装置の排気管に接続され、
前記共振器ユニットの出口管が、触媒式排気ガス浄化装置に接続されることを特徴とする請求項２に記載の再生可能熱発生装置。
【発明の詳細な説明】
【技術分野】
【０００１】
本発明の主題は、共鳴ナノ微粒子プラズマ、電磁空洞共振器および音響共振器を用いたエネルギー生成プロセスである。さらに本発明の主題は、電磁空洞共振器およびナノサイズ微粒子のプラズマ振動の一連の音響共鳴によって駆動される音響共振器からなる熱発生装置でもある。
【０００２】
この装置は、電気エネルギーを生成し、球対称性の共鳴ナノ微粒子プラズマによって駆動される。それは、電力供給装置、一次回路および二次回路を駆動し、カソードおよびアノードの電機子を駆動する振動子を含む。音響共振器を含むマグネトロンまたは共鳴電磁回路からなる分布定数装置もある。この音響共振器は、プラズマに取り囲まれたナノメートルサイズの微粒子を用いることを特徴とする。
【背景技術】
【０００３】
ＣＯ2は炭水化物の燃焼中に生成され、同時に熱を放出することが知られている。この化学反応は、技術における基礎的プロセスである。火は人類の最初の発明であり、我々の文明の不可欠な部分である。しかし残念ながら全ての資源は有限であり、ＣＯ2は温室効果を有する。大気中へのＣＯ2の放出は、地球の気候に有害な影響を及ぼし、広範な不安定状態を招く。
【０００４】
ＣＯ2は水に溶解し、植物に利用されるが、最近の気候観察によれば、その濃度上昇のために、温度および降水が不規則となっている。したがって、新エネルギー源の開発、および大気中のＣＯ2の全体的な削減が必要である。これは、新エネルギー生成プロセスによってのみ可能である。
【０００５】
過去数年の理論および実験結果は、これまで非実用的と考えられてきた電弱相互作用へのてこ入れによって新しい展望を開いた。原子炉および高温核融合装置は、強い相互作用に基づき、常にいくらかの放射能を放出するが、電弱相互作用は常に利用可能である。
【０００６】
再生可能な資源に基づく核反応は、環境を損なわず、操業するのに経済的である。本発明は、微粒子またはコンプレックスプラズマの有用な諸性質に焦点を合わせ、この目標を達成した。
【０００７】
これまで知られている解決策は、ナノサイズのニッケルまたはパラジウム金属粒子を作用温度３００〜６００℃で軽水素または重水素の分散によって適用することである。大阪大学の２名の研究者Ｊｏｓｈｉａｋｉ  ＡｒａｔａおよびＹｏｕ  Ｃｈａｎｇ  Ｚｈａｎｇは、ナノサイズのパラジウム微粒子、重水素ガス、ＺｒＯ2触媒を充填した容器中で、１００バールを超える圧力で数ヶ月発熱を観測した。
【０００８】
なお、ナノサイズのパラジウム微粒子は高価なため、彼らはそのプロセスを特許化しなかった。
【０００９】
参考文献：Ｃｌａｒｋｅ  Ｂ．ｅｔ  ａｌ：Ｓｅａｒｃｈ  ｆｏｒ  3Ｈ  ａｎｄ  4Ｈｅ  ｉｎ  Ａｒａｔａ−ｓｔｙｌｅ  ｐａｌｌａｄｉｕｍ  ｃａｔｈｏｄｅｓ，ｐａｒｔ  ＩＩ．Ｆｕｓｉｏｎ  Ｓｃｉｅｎｃｅ＆Ｔｅｃｈｎｏｌｏｇｙ．Ｖｏｌ４０，ｐｐ１５２，２００１。
【００１０】
また、イタリアのボローニャ大学の研究者は、ナノサイズのＮｉ微粒子および水素に基づくプロセスを特許出願したが、触媒自体は開示されなかった（特許文献１：ＷＯ２００９／１２５４４４Ａ１）。
【００１１】
ここでＮｉ同位体と軽水素は、多量の過剰な熱を発生することによって銅に変化する。
【００１２】
さらに三菱の３名の研究者は、類似の発熱および核変換プロセスの出願を行った（特願２００１−２０１８７５号（特許文献２）；欧州特許出願第１２０２２９０Ａ２）。
【００１３】
彼らは、ナノサイズのパラジウム微粒子および炭素電極を使用した。このプロセスは室温で行われた。
【先行技術文献】
【特許文献】
【００１４】
【特許文献１】ＷＯ２００９／１２５４４４Ａ１
【特許文献２】特願２００１−２０１８７５号
【発明の概要】
【００１５】
上記プロセスにおいて、温度はプラズマ形成のしきい値、すなわち約６００℃を超えない。したがって上記した従来のプロセスと、本発明者らのプロセスとは異なり、それらは複合共鳴プラズマを使用しなかったが、それでも最終結果は同じであり、核プロセスの結果として多量の熱が発生する。
【００１６】
本発明は、ナノサイズ微粒子と準粒子の組合せによって成されている。両方の領域は、互いに独立して熱心に研究されているが、これらを併用して利用することはこれまでなかった。
【００１７】
ナノサイズ物質の使用はそれ自体興味深く、巨視的法則はここではもはや有効ではなく、量子法則も有効ではない。例えば、ナノサイズ金粒子は化学反応に関与し、いくつかの材料はこの範囲で磁気特性および電気特性が異なる。一部の固体材料は室温で液体になる。この変化の理由は、表面と体積の比が大きく変化するからである。
【００１８】
半導体における「ｎ」または「ｐ」型正孔のような準粒子は、電子工学の世界に大きな進歩をもたらした。ナノサイズ微粒子を含むプラズマは長い間重要であったが、高振幅（共鳴）プラズマは当業界ではまだ普及していない。
【００１９】
本発明者らのプロセスにおいて、ナノサイズ微粒子はプラズマ中で振動し、平均温度は約２，０００℃である。こうして、自己組織化特性を有する部分的に電離した非平衡高振幅プラズマが生成する。ここで電子の一部は、後述するプラズマ航跡場加速の効果によって光速に近づく。
【００２０】
Ｏ+、Ｎ+のようなプラズマイオンのエネルギーは、最大振幅付近で微粒子に衝突すると、１０6ｅＶを超えることがある。微粒子の個々のエネルギーは、１００ｅＶ以上であり得る。
【００２１】
微粒子プラズマ振動現象は、ＤＡＷ（ダスト音波）と呼ばれるが、本発明者らが使用する極端なパラメータにおいてはまだ研究されていない。
【００２２】
複数の周波数の高振幅プラズマ振動は、（短期間）電子だけでなくイオンおよび微粒子も高い位置および運動エネルギーを有するので、エネルギー生成プロセスに役立つ。振動の振幅、平均プラズマ温度は、微粒子が蒸発するまで増加する。これはこの技術の上限の一つである。これらのパラメータにおいては、かなりの量のエネルギーが微粒子表面で生成される。表面的なメカニズムについては後述する。
【００２３】
したがって、熱の発生に加えて、プラズマ化学プロセスは、微粒子廃棄物（例えば亜鉛メッキ汚泥または他の危険廃棄物）を振動プラズマに通して変換することによって起こるが、Ｈ2Ｏ分子またはＣＯ2分子の結合を炭素と酸素に分裂させることができる。
【００２４】
この新タイプのプラズマは、コンプレックスプラズマ，微粒子プラズマ，結晶プラズマ，コロイドプラズマなどいくつかの名称が付けられている。
【００２５】
これは、電離ガスと中性ガスの混合物を含む通常のプラズマとは区別され、サブミクロンサイズの固体粒子を含む。したがって本発明者らは、新しい技術的に有用な諸性質を得る。
【００２６】
従来公知のプロセスに比べ、最も有用な性質は、プラズマ状態を最小限のエネルギー供給によって維持することができ、いわゆるプラズモンポラリトン準粒子が、技術的に有用であり、これまで利用されなかった更なるプロセスを可能にすることである。
【００２７】
これらの表面プラズモンポラリトンプロセスは、いくつかの研究書、例えばＳｔｅｐｈｅｎ  Ａ．Ｍａｉｅｒ：Ｐｌａｓｍｏｎｉｃｓ．Ｆｕｎｄａｍｅｎｔａｌｓ  ａｎｄ  ａｐｐｌｉｃａｔｉｏｎｓ（Ｓｐｒｉｎｇｅｒ，２００７）またはＤｒｏｉｒ  Ｓａｒｉｄ，Ｗ．Ｃｈａｌｌｅｎｅｒ：Ｍｏｄｅｒｎ  Ｉｎｔｒｏｄ．Ｔｏ  Ｓｕｒｆａｃｅ  Ｐｌａｓｍｏｎｉｃｓ，Ｃａｍｂｒｉｄｇｅ  Ｕｎｉｖ．Ｐｒｅｓｓ，２０１０に記載されている。
【００２８】
ガスおよび蒸気の部分電離は、大気圧および約１，０００℃で始まることが知られている。完全電離は、１および２原子ガスの場合は１０〜２０，０００℃の比較的高温で始まるが、（Ｓａｈａの式で記述されるように）鎖長が長くなるとこの値は高くなる。
【００２９】
かかる高温は高エネルギー密度電力供給装置によって大気圧で得ることができるが、壁の冷却効果により、かなりのエネルギーが失われる。
【００３０】
本発明者らが開発したプロセスおよび装置においては、プラズマ状態を引き起こし、維持するのに必要なエネルギーはかなり少ない。
【００３１】
本発明者らが開発した微粒子またはコンプレックスプラズマにおいては、核プロセスは、同調音響共鳴および電磁共鳴により、最高２〜３バールの低圧で起こるため、入力エネルギーに比べて有用な余分のエネルギーを得る。
【００３２】
かなりの電場増幅プロセスが微粒子表面で起こり、これは本発明者らのプロセスの基礎の一つである。局所電場は、ミクロンサイズおよびナノメートルサイズの微粒子の表面で１０48倍まで増幅することができる。
【００３３】
詳細は、Ｋａｔｈｒｉｎ  Ｋｎｅｉｐｐ，Ｐｈｙｓｉｃｓ  Ｔｏｄａｙ，２００７，Ｎｏｖ，ｐｐ４０またはＭａｒｋ  Ｉ．Ｓｔｏｃｋｍａｎ：Ｎａｎｏ  Ｐｌａｓｍｏｎｉｃｓ．Ｐｈｙｓｉｃｓ  Ｔｏｄａｙ，Ｆｅｂ．２０１１，ｐｐ３９−４４に記載されている。
【００３４】
光学集束レンズまたは集光レンズの場合と同様に、すべての増幅プロセスが技術において有用である。
【００３５】
プラズマ中において、高振幅で振動する微粒子は、１０Ｈｚ〜５０ＧＨｚの周波数におけるその動き（プラズマ航跡場加速）に基づき、およそＴＨｚ（テラヘルツ）波長の特定周波数の赤外線および可視ＥＭ放射にある程度基づく高強度電場となる。しかし、微粒子表面の電子雲（グループ）の緩和時間は１０フェムト秒であり、分極はさらに短い１００アト秒であるので、これらの高周波数は問題を生じない。
【００３６】
これは利用価値がある。この増幅効果は、現在商業的に活用されているがそれは振動プラズマではなく、光増幅や免疫反応試験のような生物学的試験の場合である。
【００３７】
導電性ナノサイズ微粒子の表面プラズモンポラリトンの技術的応用の実現性は、どちらもノースイースタン大学の研究者である２人の米国物理学者Ｌｅｗｉｓ  Ｇ．ＬａｒｓｅｎとＡｌｌａｎ  Ｗｉｄｏｍによって指摘された。
【００３８】
彼らは、この場増幅に基づくｅ-＋ｐ+→ｎ＋νの反応の可能性を認めた。これは、電子と陽子の結合によって中性子とニュートリノが生成し得ることを意味する。（彼らの論文：”Ｕｌｔｒａ  ｌｏｗ  ｍｏｍｅｎｔｕｍ  ｎｅｕｔｒｏｎ  ｃａｔａｌｙｚｅｄ  ｎｕｃｌｅａｒ  ｒｅａｃｔｉｏｎｓ  ｏｎ  ｍｅｔａｌ  ｈｙｄｒｉｄｅ  ｓｕｒｆａｃｅｓ．”Ｅｕｒ．Ｐｈｙｓｉｃｓ  Ｊ．Ｃ  Ｖｏｌ．４６，Ｍａｒｃｈ，２００６，ｐｐ１０７。）
彼らは、パラジウム表面に室温で埋め込まれたナノ粒子を技術的解決策として示唆した。また彼らは、２つの特許出願をした。（米国特許出願公開第２００８／０２９６５１９Ａ１および米国特許出願公開第２００８／０２３２５３２Ａ１）
本発明のプロセスは、彼らが固体／液体媒体およびパラジウム／軽水素を室温で電気分解と併用する点で、彼らの解決策とは異なる。
【００３９】
本発明は、平均温度が約２，０００℃であり、炭素微粒子からなる共鳴コンプレックスプラズマにおける極めて非平衡な分布を有する。技術的側面から、本発明者らは共鳴振幅を増幅し、高温で赤外線の効果が更に強化されるので、これはより有利である。
【００４０】
したがって、本発明者らが使用するＷｉｄｏｍ−Ｌａｒｓｅｎ型プロセスは、所与の体積に対する微粒子表面が通常の常温核融合よりも大きいのでより効率的である。本発明者らは、より強力な電場増幅を使用し、約２，０００℃のより高温のプラズマに基づく、より多くの自由陽子を有する。
【００４１】
Ｗｉｄｏｍ−Ｌａｒｓｅｎ理論において生成する中性子は、エネルギーを生成しながらいくつかの核プロセスに関与することができる。一例として、本発明者らは、中性子との融合がエネルギーを放出しながら炭素核の質量数を増加させる一連の関係する反応を示す。
【００４２】
これは２つの炭素同位体間で下記の表１に示される。矢印の上の数字は放出エネルギー量を示し、同位体の下の文字はそれが「安定」か「不安定」かを示し、矢印の下の数字は同位体の半減期を意味する。
【００４３】
【表１】
2014522480.tif 000003
【００４４】
不安定炭素同位体は、窒素の安定および不安定同位体に変化することがあり、それは再度エネルギーを生成する。しかしアルファ粒子を放出した後でも、それは安定な炭素同位体に変化する。したがって、本発明者らの実験中に観察した閉サイクルが形成される。このプロセスは、閉核サイクルという理由から再生可能とみなされる。
【００４５】
核サイクルという理由から、いくつかの熱発生サイクルも存在する。電弱相互作用の結果として、高温核融合反応のために強い核力が予想されるγ放射はほとんどない。
【００４６】
したがって、本発明者らのプロセスは「教科書の物理学」に基づく。この成果は新規でありこれまで成されなかった。上記した一連の反応は、一連の中性子捕獲により高振幅で振動する炭素微粒子の雲の表面で起こる。このプロセスに必要な陽子は、少数のＨ2Ｏ分子を開裂させることによって生成される。主に空気の分子を含むプラズマは、水を熱運動化し、次いでそれをこの温度で電離させる。
【００４７】
水素イオンの一部は、陽子として負の炭素微粒子に引きつけられ、本発明者らの仮説によればＬａｒｓｅｎ−Ｗｉｄｏｍモデルの結果として一緒に中性子を形成する。すべての水素同位体は、このプロセスの能力を有する可能性が非常に高く、その反応率は速度に大きく依存する。
【００４８】
本発明者らのプロセスは、本発明者らの経験によれば、軽水素核を用いて作動する。
【００４９】
本発明の基礎的発見の一つは、共鳴コンプレックスプラズマ中のナノ微粒子の表面が電場増幅プロセスに適していることであった。すなわち、ｅ-＋ｐ+→ｎ＋ν反応は、電子と陽子からの中性子の生成を意味する。こうして発生する超低温反応は、通常は自続プロセスであるエネルギー生成核プロセスに関与する。
【００５０】
本発明者らのプロセスは自然界でも起こり得る。例えば太陽のコロナ中では、温度が数百万度に達し、平均６，０００℃にすぎない表面よりもはるかに高温である。
【００５１】
希薄な冷たい星間プラズマもエネルギーを生成し得るが、これは「ダークエネルギー」と名付けられたものである。星間振動プラズマは微粒子であることが知られている。（例えば、Ｓｚａｌａｉ  Ｔａｍａｓ：”Ｓｕｐｅｒｎｏｖａ，ｐｒｏｄｕｃｉｎｇ  ｄｕｓｔ．”Ｆｉｚｉｋａｉ  Ｓｚｅｍｌｅ，Ｄｅｃ．２０１０，ｐｐ３３９）。
【００５２】
星間プラズマは、陽子を含む希薄プラズマ中のマイクロメートルサイズの粒子中にＳｉ、Ｃおよび金属酸化物の微粒子を含むことが知られている。本発明者らのプロセスはいくつかのエネルギー入力を必要とするが、それは所与の体積に対してグロー放電、アーク放電などの他のプラズマプロセスよりもはるかに少ない。
【００５３】
微粒子を用いない通常の方法によるプラズマ生成は、より高いエネルギー入力を必要とする。したがって、過剰の熱を生成したり、ＣＯ2分子を開裂させたりすることは論外であった。（内燃機関で得ることのできるエネルギーよりも多量のエネルギーが必要であると考えられる。）
本発明者らのプロセスは、８億℃以上における重水素と三重水素の結合に基づく「高温核融合」プロセスではなく、その強い核相互作用に基づくパラジウムカソードおよび重水素リッチな電解質の室温における電気分解に基づく、いわゆる「常温核融合」プロセスでもない。
【００５４】
経済的な熱発生プロセスは、ＣＯ2分子または他の化学副生物の結合開裂に適用可能である。内燃機関のＯ2ガス分子を閉サイクルで分解することが可能であるが、本発明者らに空気の窒素分８０％を使用する義務はない。（４０％で十分かもしれない）。したがって、中性Ｎ2ガスは燃焼に関与しないので加熱の必要がなく、燃焼温度を高くすることができる。
【００５５】
内燃機関のカルノー効率は、温度の改善により効率を高めることができる。それによって、いくらかの過剰な力学的エネルギーが生成される。内燃機関の構成が変わる、例えばセラミックシリンダーを用いると、ディーゼル機関の効率も改善することができる。
【００５６】
したがって、プロセスの総合効率を更に改善することができ、有毒廃棄物（例えばＮＯｘ）の放出さえも排除することができる。
【００５７】
本発明者らのプロセスにおいて、副生物として生成する炭素微粒子は、炭素繊維材料の貴重な材料または複写機の充填材とすることができ、他方の副生物である水は無害である。
【００５８】
プロセス中、ＣＯ2分子は開裂すべきであるが、炭素微粒子は溶融してはならない。これは、プラズマ入力電力および周波数によって調節することができる。
【００５９】
本発明者らのエネルギー生成方法は、ＣＯ2の振動を利用し増幅する。したがって、システムの周波数と振幅の両方を調節できることが極めて重要である。好適なパラメータはＣＯ2／Ｏ2比を測定することによって求められ、プラズマは、この比に従って加熱される。
【００６０】
本発明は図に記載されている。
【図面の簡単な説明】
【００６１】
【図１】面内の平衡状態の振動のない微粒子プラズマの模式図である。
【図２】面で示された準固体プラズマであり、微粒子は六角格子状に配列されている。
【図３】ダスト音波（ＤＡＷ）振動は面に沿って示されている。
【図４】電子が格子の中央にあり、陽イオンが結晶プラズマ微粒子の周囲にあるときの図３に示された振動の逆位相である。
【図５】定常状態における負の微粒子およびその隣接周囲の模式図である。
【図６】外部電場のあるナノサイズ微粒子の模式図である。
【図７】円柱状の音響共振器の略図であり、電離プラズマの圧力が主軸に沿って示されている。
【図８】高周波電磁場によって微粒子プラズマ振動を励起させることが可能な誘導ソレノイドを示す。
【図９】微粒子プラズマと容量結合した回路を示す。
【図１０】マイクロ波を用いたコンプレックスプラズマ励起の原理を示す。
【図１１】マイクロ波微粒子プラズマ励起を用いた球状の音響共振器および円柱状マイクロ波共振器を備えたエネルギー生成装置の模式図である。
【図１２】電磁共振器が球状である以外は図１１に示したのと類似の図である。
【図１３】電気エネルギーを直接生成可能な同心球からなる低圧装置の模式図である。
【図１４】内燃機関の閉サークルに接続されたＣＯ2サーマライザーの模式図である。
【図１５】開裂ＣＯ2分子のＯ2分が内燃機関の空気取入口に再導入されない以外は、図１４と類似の図である。
【図１６】排出ＣＯ2が熱運動化され、触媒式排気ガス浄化装置を介して環境に放出されるときの略図である。
【発明を実施するための形態】
【００６２】
本発明の技術的構成を記述する前に、本発明者らは、最も重要な効果を理解するのに役立つ背景となる物理学を概説する。
【００６３】
図１によれば、微粒子プラズマのスキームは、平衡状態において面に沿った振動なしに示される。負に帯電した微粒子のサイズは（簡単にするために）同じであり、正方格子の「結晶プラズマ」を形成する。微粒子は、準平衡状態にある。自由電子（３）の平均速度は極めて速い。陽イオン（２）は電子（３）よりも遅いが、ナノ微粒子（１）よりははるかに速い。
【００６４】
図２においては、六角格子結晶プラズマが面に沿って示されている。陽イオン（２）および電子（３）も示されている。中性原子（および陰イオン）は、簡単にするために示されていない。格子定数の半分の距離で互いの上にいくつかの格子が存在する。
【００６５】
図３は、電子の大部分が微粒子プラズマの外周にあり、ナノ微粒子（１）がその高い慣性のために外側にまだ移動しているときの面に沿ったダスト音波（ＤＡＷ）である。このときには、陽イオン（２）は既にプラズマ中へと加速されている。
【００６６】
ナノ微粒子（１）の振幅は、電子（３）に比べて極めて小さい。簡単にするために、外部の励起電場は示されていない。
【００６７】
図４は、図３に示された振動の逆位相である。この段階では、電子（３）は格子の中央にあり、陽イオン（２）は結晶プラズマの周辺にある。中性分子および原子は簡単にするために示されていない。図３および図４によれば、コンプレックスプラズマは、振動中は中性ではない。
【００６８】
ナノ微粒子（１）は、図３に示した位置に比べてさほど移動していない。基本波のみが示されている。より高い周波数の振動は、簡単にするために示されていない。
【００６９】
図５は、ナノ微粒子（１）近くのＣＯ2分子を示し、負の電場を有するナノ微粒子（１）は定常状態にある。ＣＯ2分子の陽イオン、その中性分子（２２）、ナノ微粒子（１）の負の電場（４）が示されている。陽イオン（２）はナノ微粒子（１）に向かって加速されている。陽イオン（２）と中性分子（２２）は、ナノ微粒子（１）に衝突する前に、衝突して、粉々になり得る。簡単にするために、外部の励起場は示されていない。図３および図４の特徴的なサイズはセンチメートルで表され、微粒子は直径１０〜１，０００ナノメートルである。
【００７０】
簡単にするために、図５の炭素ナノ微粒子の電荷分布を均一に示した。これは外部励起場が存在しない場合に当てはまるが、それはめったに起こらない。
【００７１】
図６は、外部励起場（２５）の場合のナノ微粒子（１）のより現実的な図である。電子（３）の分布はナノ微粒子（１）表面で不均一であることがわかる。外部励起場（２５）がそれを分極させるからである。これは、高共鳴場強度を特徴とするプラズモンポラリトンと呼ばれる準粒子である。正の局所的電荷は、局所的電子の欠如に基づいて生成する。（完全には電離していない）電離Ｏ+およびＮ+の陽イオン並びに完全に電離したＨ原子である陽子（２３）も、ナノ微粒子（１）表面に付着していることがわかる。
【００７２】
時間的空間的に変化する外部励起場（２５）のために、いくつかの振動周波数および高電場強度が内部および外部に存在する。表面の振動は、表面プラズモンポラリトンである。
【００７３】
これは、陽イオンおよび陽子（２３）と負に帯電したナノ微粒子（１）の間、または粒子の一方の側の正の空間電荷（２６）と粒子の他方の側の電子雲の間で起こる微粒子の電場増幅能力を示す。
【００７４】
図７は、円柱状の音響共振器（１０）の略図であり、プラズマ圧力は軸に沿って示される。音響の、長軸方向の共鳴は、外部励起磁場が円柱に平行であるときのものである。最大圧力位置（１１ｂ）および頂上（１１ａ）も示されている。開裂される分子（すなわちＣＯ2）は入口管（１４）を通って円柱に流入し、炭素およびＯ2は出口管（１５）を通って流出する。励起電磁場は、簡単にするために示されていないが、主要な電場は音響共振器（１０）の軸に平行である。
【００７５】
入口管（１４）と出口管（１５）は直径および長さが異なり、音響共振器（１０）の振動周波数は、入口管（１４）と出口管（１５）の適切なサイズの選択により影響される。
【００７６】
本発明は、共鳴ナノ微粒子プラズマを用いた再生可能エネルギー生成プロセスである。
【００７７】
音響共振器は、電磁空洞共振器中に置かれ、共振器ユニットを形成する。音響共振器（１０）において、本発明者らは５Ｈｚ〜５ＧＨｚの広帯域で、１２０ｄＢを超える振幅で、１０Ｐａ〜５００ｋＰａの圧力範囲で、１，０００℃〜３，０００℃の温度範囲で、振動を発生させる。
【００７８】
コンプレックスプラズマは、水素同位体１質量％未満と残りが空気からなるガス中に、または水素１％未満とヘリウムの混合物中に、全炭素質量０．５ｇ未満であり１００ナノメートル程度のサブミクロンサイズの炭素微粒子を含む。
【００７９】
プラズマは、周波数５〜１５ＧＨｚ、概略出力密度約２，０００Ｗ／ｄｍ3で外部電源から直接励起される。出力は、電磁空洞共振器の内表面で反射される。
【００８０】
これらのプラズマ振動および共鳴表面電場増幅のおかげで、本発明者らは１０ｋＨｚ〜５ＧＨｚおよびＴＨｚ（テラヘルツ）範囲の表面プラズモンポラリトン振動を発生させて、熱および核変換を生ずる核プロセスをもたらし、また電気エネルギーを生成することができる。
【００８１】
いくつかの異なる装置がこのプロセスを利用するために開発された。それらについて、本発明によるいくつかの好ましい適用例に沿って後述する。
【００８２】
本発明による再生可能エネルギー生成装置は、電磁空洞共振器（３０）および音響共振器（１０）からなる。
【００８３】
音響共振器（１０）中にはナノサイズの微粒子（１）があり、一連の周波数で振動する。電磁空洞共振器（３０）は、矩形状、円柱状または球状とすることができ、平滑な鏡面状の内表面を有する。
【００８４】
耐熱絶縁材で製作された音響共振器（１０）は電磁空洞共振器内に置かれ、音響共振器は軸対称形状の入口同調開口（２１）と出口同調開口（２０）を備え、絶縁台上に設置される。
【００８５】
音響共振器は、石英製の透明ガラス管（２９）で包囲され、１ＧＨｚを超える電磁波を発生可能な振動子（１２）によって導波路（１７）を介して電磁波によって加熱されてプラズマ中で約２，０００℃に達する。
【００８６】
図１１に示した再生可能熱発生装置は本質的に球状である。それは、音響共振器（１０）およびマイクロ波発生手段からなる。音響共振器（１０）は、絶縁材でできた絶縁台（１８）の上に設置されている。
【００８７】
開裂されるＣＯ2ガスは、開口（２１）を通って音響共振器に入り、分離した分子は開口（２０）を通って音響共振器から出て円柱状または矩形状の電磁空洞共振器（３０）に入る。
【００８８】
開裂した分子およびナノ微粒子は、出口管（１５）を通って装置から出る。次いで、これらの微粒子を装置に再導入することができ、または排ガスからろ過することができる。振動子（１２）からの電磁波は、導波路（１７）を通って電磁空洞共振器（３０）に導入される。
【００８９】
球状の音響共振器（１０）の出口同調開口（２０）と入口同調開口（２１）は、通常、直径および長さが異なる。球状であり石英ガラスでできた音響共振器（１０）は、平均直径が６ｃｍである。その入口同調開口（２１）は直径が１５ｍｍであり、出口同調開口（２０）は直径が５ｍｍである。また長さが２〜１０ｍｍであり、通常の圧力は約１〜３バールである。
【００９０】
本発明者らのプロセスに基づく、再生可能エネルギー生成発明の別の形態がある。
【００９１】
この装置は、電磁空洞共振器（３０）とその内部の音響共振器（１０）からなる。音響共振器（１０）中には一連の共鳴によって振動するナノサイズの微粒子（１）がある。
【００９２】
図１２に示すように電磁空洞共振器（３０）は球状であり、同心球状アレイ中の球状の音響共振器（１０）を含む。電磁空洞共振器（３０）は、透明な耐熱ガラス（３３）で覆われ精密研磨された内表面（３１）を有する。
【００９３】
音響共振器は、耐熱電気絶縁セラミックスから成り、絶縁台（１８）上に設置され、少なくとも２個以上の同調開口、すなわち出口同調開口（２０）および入口同調開口（２１）を有する。音響共振器（１０）における圧力は通常大気条件以上であり、空間的平均温度は約２，０００℃である。
【００９４】
図１２に示した本発明は図１１に類似しているが、２個の同心球状の共振器からなる。
【００９５】
電磁空洞共振器（３０）は、内部に研磨された内表面（３１）を有する。内表面の内側のカバーは透明な耐熱ガラス（３３）でできている。音響共振器（１０）は、絶縁材でできた絶縁台（１８）の上に設置されている。
【００９６】
音響共振器（１０）には３個の同調開口（２０）、（２１）、（３２）がある。同調開口（３２）の長さおよび直径は、入口同調開口（２１）および出口同調開口（２０）よりも小さいことが好都合であり、好ましくは直径３ｍｍ、長さ１〜２ｍｍである。
【００９７】
入口管（１４）および出口管（１５）は、空気、Ｈ2Ｏ、ＣＯ2が流通でき、または入口管（１４）および出口管（１５）を通って有害廃棄物を送るためのものである。
【００９８】
本発明のプロセスによって、図１３に示すように、再生可能電気エネルギーを生成することができる。これは、同心球状の内部電極（５０）および外部電極（電機子）（５１）からなり、複合ナノ微粒子プラズマによって作動する。内部電極（５０）は電力供給装置に接続されている。外部電極（電機子）（５１）は、負荷装置（ｌｏａｄ）（８４）に接続されている。電力供給装置は、振動子（１２）、一次コイル（５５）および二次コイル（５４）、並びに電源（４０）からなる。
【００９９】
負荷装置（８４）は、いくつかの振動回路を介して外部電極（電機子）（５１）に接続されている。内部電極（５０）は炭素またはカルボシリカートでできている。それは、電気絶縁体（５２）を介して二次コイル（５４）の一方側の端部に接続され、ｋＨｚ〜ＭＨｚの周波数スペクトルで作動する。
【０１００】
二次コイル（５４）の他方側の端部は、地電位（５７）に接続されている。球状の外部電極（電機子）は、絶縁耐熱材料でできた研磨された内表面を有する。圧力は約２０Ｐａであり、平均温度は５００℃未満である。単一の結線を介して外部電極（電機子）に接続された振動回路がある（分極電流）。
【０１０１】
図１３は、電気エネルギーを直接生成する、同心球状の共振器を有する低圧装置を示す。
【０１０２】
この低圧装置は、低圧（１００Ｐａ未満）で作動する。したがって、それは、別々の要素振動回路を用いて２００ＭＨｚ未満で運転することができる。これは、分極電流に基づく「単線」テスラ型配置である。この回路は、容量性変位電流によってつながれるので、単線で十分である。内部電極（５０）は炭素またはカルボシリカートで覆われている。外部電極（５１）は、低分極損失の透明誘電体層で内部が覆われた金属でできている。内部電極（５０）は電気絶縁体（５２）を介して二次コイル（５４）によって励起され、二次コイル（５４）の他方側の端部は地電位（５７）に接続されている。
【０１０３】
電力は、電源（４０）から振動子（１２）、さらに同調コンデンサ（５６）を介して一次コイル（５５）に供給される。電力出力装置は類似配置を有する。外部電極（５１）は一次コイル（５９）に接続され、他方側の端部は地電位（５７）に接続されている。
【０１０４】
本発明においては、内部電極（５０）と外部電極（５１）の間で振動する微粒子プラズマによって誘導結合振動回路を駆動させる。二次コイル（５８）は同調コンデンサ（５６）に直列接続され、負荷装置（８４）を駆動させる。
【０１０５】
いくつかの出力回路を本発明において使用することができる。半Ｇｒａｅｔｚ整流回路であるいわゆる「Ａｖｒａｍｅｎｋｏプラグ」を介して外部電極（５１）から出力を取り出すことができる。２個のダイオード（８２）は、図１３に示すようにコンデンサ（８３）に接続され、負荷装置（８４）に並列接続されている。
【０１０６】
本発明は、分布定数電気回路を有する装置に適用可能である。これは、図１０に示すように、マイクロ波振動子（１２）を作動させる回路に基づく。
【０１０７】
それは、微粒子プラズマを含む音響共振器（１０）を有する。円柱状または球状の音響共振器は石英またはパイレックス（登録商標）でできている（図８〜図１０）。図８および図９の集中定数回路は、約１０ＭＨｚの周波数で、誘導結合を用いたソレノイド（１３）、もしくは図９における第１電極（１６ａ）および第２電極（１６ｂ）を有する容量結合によって駆動され、または図８においてコンデンサ（１９）によって駆動される。またプラズマは、図１０に示すように音響共振器（１０）中でプラズマを駆動する電磁空洞共振器（３０）において導波路（１７）を介してマグネトロンによって駆動される。
【０１０８】
図８は、音響共振器（１０）の励起を示すものであり、ナノ微粒子（１）は、電流共振を利用した誘導結合を用いたソレノイド（１３）によって生成されたプラズマ中に充填されている。
【０１０９】
電源（４０）は、配線（４１）を介してＲＦ振動子（１２）を駆動させる。振動子は、ソレノイド（１３）およびコンデンサ（１９）の並列共振回路を駆動させる。この装置は、１００〜２００Ｐａ未満の大気圧以下で作動する。この圧力は、簡単にするために示されていないが、好ましくは回転ポンプを用いて生成される。入口管（１４）および出口管（１５）の形状は同一ではない。
【０１１０】
この装置は、典型的には、２００ＭＨｚまで駆動させることができる。音響共振器（１０）は、適切には、耐熱ガラスででき、円柱状である。
【０１１１】
図９において、コンプレックスプラズマの容量励起を示す。円柱状の音響共振器（１０）は、第１電極（１６ａ）と第２電極（１６ｂ）の間に配置されている。ソレノイド（１３）は、共鳴直列電気回路に必要である。この構成も、図８に示したものと同様に、大気圧以下である。
【０１１２】
図１０は、本発明者らのプロセスに基づく本発明の更に別の形態である。これは、コンプレックスプラズマのマイクロ波励起に基づく。音響共振器（１０）は電気絶縁材でできている。振動子（１２）は、導波路（１７）を介して電磁空洞共振器（３０）中に放射する。入口管（１４）および出口管（１５）は、電磁空洞共振器（３０）の壁を貫通する。音響共振器（１０）の最大振幅を微同調するために、出口同調開口および入口同調開口は、長さと直径の両方を調節することができる。
【０１１３】
図１４および図１５に示すように、複数の装置を本発明に従って連結して、核プロセスを利用することができる。これらのプロセスは、電力入力を制御し、重水素またはＬｉまたはＢａをプロセスに厳重に監視して追加することによって影響される。
【０１１４】
本発明は、閉循環回路がある場合に内燃機関に対してより好ましく、（詳細に上述した）共振器ユニットの入口管（１４）は、内燃機関（１００）の緩衝装置（１０１）の排気管に接続される。
【０１１５】
排ガスは共振器ユニットに導入され、その微粒子はナノサイズの炭素微粒子およびガスに分解される。ナノサイズ微粒子は、出口管（１５）を通って共振器から除去される。分子結合が開裂すると、加熱ガスが（スターリングエンジンのような）外部燃焼機関、次いで熱交換器（３００）に導入され、蒸気は部分的に凝縮され、排水管（３０１）を介して除去される。
【０１１６】
残りのガスは、図１４に示すように、内燃機関（１００）の空気取入口（３０５）に再導入される。
【０１１７】
本発明の最も好ましい形態を図１４に示す。ここで、ＣＯ2の分解に使用される共振器ユニットは内燃機関の閉回路に導入される。共振器ユニットは、内燃機関（１００）および緩衝装置（１０１）の後、スターリングエンジン（２００）の前に置かれる。すすおよび凝縮水は、熱交換器（３００）および排水管（３０１）において除去される。
【０１１８】
プラズマ処理ガスのＯ2含有量は、熱交換器（３００）の後に置かれたラムダセンサーによって測定される。発電機（１１０）は、蓄電池（１１１）を充電する例として使用される。この場合、循環Ｎ2量は、部品が熱応力に耐えられる限り、削減することができる。過剰の酸素は、Ｏ2を含むボンベ（３０３）から減圧装置（３０４）を介して閉回路に導入することができる。したがって、空気取入口（３０５）を介して内燃機関（１００）を運転するのに必要な空気の量が減少する。
【０１１９】
本発明のさらに好ましい使用は、ＣＯ2ガスを開裂させるために、内燃機関（１００）の緩衝装置（１０１）の後に共振器ユニットの入口管１４を接続する。図１５に示すように、共振器ユニットの出口管（１５）は外部燃焼機関（スターリングエンジン）（２００）に接続され、外部燃焼機関（スターリングエンジン）（２００）の流出パイプは触媒式排気ガス浄化装置（１２０）に接続されている。
【０１２０】
開裂ＣＯ2分子のＯ2分が内燃機関（１００）の空気取入口（３０５）に再導入されないときの本発明による開プロセスを図１５に示す。代わりに、共振器ユニットを出た排ガスは、触媒式排気ガス浄化装置（１２０）に導入される。共振器ユニットは外部燃焼機関（スターリングエンジン）（２００）によって作動し、ＣＯ2放出は減少するが、燃料消費は増加しない。
【０１２１】
本発明のさらに好ましい使用を図１６に示す。ここで、図１６に示すように、共振器ユニットの入口管（１４）は、内燃機関（１００）の排気ＣＯ2ガスを開裂させるために緩衝装置（１０１）に接続され、共振器ユニットの出口管（１５）は触媒式排気ガス浄化装置（１２０）に接続されている。これは、共振器ユニットを使用して排ガスのＣＯ2分を開裂させる最も単純な例である。
【０１２２】
本発明のこの形態においては、内燃機関（１００）の排ガスは、共振器ユニット中で開裂する。次いで、それらは、触媒式排気ガス浄化装置（１２０）を通り、環境に放出される。これらのプロセスはいくつかの方法によって開始することができ、図７に示した装置では、本発明者らは音響共振器（１０）中でプラズマを発生させる。次いで、炭素微粒子を入口管（１４）に通して音響共振器に供給すると、プラズマは大きな音を出して振動する。
【０１２３】
炭素微粒子の導入後、所与の使用圧力において定常状態温度に達するまで最適周波数を同調しなければならない。同じプロセスは、図９に示す容量励起プラズマにおいても維持することができる。空気も適切であるので、不活性ガスの使用は不要である。炭素微粒子は燃焼しないが、より小さい粒子に崩壊する。
【０１２４】
より高い周波数および圧力では、マイクロ波プラズマ励起において、電磁空洞共振器（３０）の定在波の最大場値（ｆｉｅｌｄ  ｖａｌｕｅ）が存在するときに、約０．５グラムの炭素微粒子を本発明による音響共振器（１０）に導入することができる。
【０１２５】
しかし、細いグラファイト棒をこの位置に挿入することによって微粒子プラズマを生成させることができ、いくらかのスパーク後、プラズマ振動が始まる。図１および図２に示した微粒子プラズマは、グロー放電またはアーク放電のＤＣ電流によって生成するが、実際の適用例はない。その場合、微粒子の周囲のプラズマ成分は図５で示される。
【０１２６】
しかし、本発明者らのプロセスにおいては、図３および図４による振動が存在する。
【０１２７】
図７は、音響共振器（１０）中のイオン音響振動の定在波における巨視的圧力分布を示す。
【０１２８】
その場合、プラズマは図６に示す特徴を有する。コンプレックスプラズマ中の微粒子は、典型的にはナノメートル領域において、各々数百万の原子を含むクラスターからなり得る。
【０１２９】
ナノ粒子の材料組成、サイズおよび形状並びに効率的製造は、実施において重要である。大部分の金属は通常において低温で溶融するため、クラスターを形成することができず、高融点のものは酸素含有プラズマ中で急速に酸化するので、実際にはわずかな材料組成しか存在しない。
【０１３０】
本発明のプロセスにおいて、本発明者らは、炭素またはＣ＋Ｓｉカルボシリカート混合物をナノ微粒子の材料として使用する。炭素の利点は、４，５００℃でも蒸発せず、溶融した形で残ることである。
【０１３１】
別の利点は、特に（空気中の）反応性プラズマにおいて、それ自体またはＳｉと一緒に容易にクラスターを形成し、燃焼しないことである。コンプレックスプラズマの構造は、規則的、格子状、または規則的境界を有する多結晶、または限定的な分体積を満たす流体状とすることができ、ガス状とすることもできることは明白である。
【０１３２】
したがって、コンプレックスプラズマは、実際に極めて有用であるが、通常のプラズマには存在しない独特な異質の特徴を有する。
【０１３３】
本発明による想定されるＣＯ2開裂メカニズムの例
図５においては、炭素ナノ微粒子（１）と一価電離または二価電離陽イオン（２）ＣＯ2分子との、さらに中性ＣＯ2分子（２２）との衝突を示す。
【０１３４】
中性ＣＯ2分子は、３つの理由で分解することができる。
【０１３５】
第１に、陽イオンは、ナノ微粒子（１）の電場（４）中で加速しながら中性ＣＯ2分子（２２）と衝突しているからである。
【０１３６】
第２に、反応は高速衝突に基づいたＣＯ2+＋ＣＯ2→２Ｃ＋Ｏ2＋Ｏ2+であり得るからである。
【０１３７】
第３に、熱振動に基づいた解離だからである。
【０１３８】
Ｃ＝Ｃ二重鎖または複数の鎖の電離プロセスが存在し得る。中性ＣＯ2分子が互いにまたは高温微粒子と衝突する別のプロセスにおいては、酸素と炭素の数ｅＶ電位の結合は開裂する可能性がある。分解分子の各成分は、粒子表面から電子を吸収することがある。
【０１３９】
したがって、酸素は再結合して表面を離れる可能性があり、炭素はより長いまたは短い通常の鎖を形成することがある。
【０１４０】
微粒子の音響振動中、特に高周波共鳴において、衝突エネルギーは、ＣＯ2分子のＣとＯ原子などの任意の分子の化学結合を切断するのに十分な大きさであり得る。窒素分子および原子は図５に示されていないが、それらは衝突中に電離し、ＮＯおよびＮＯ2分子が形成することがある。
【０１４１】
図７においては、微粒子プラズマ音響共鳴が発生する円柱状の音響共振器を示す。定在圧力波は示されているが、低調波および高調波は簡単にするために示されていない。
【０１４２】
音響共振器（１０）においては、圧力差が生じ、それによってガスが入口管（１４）と出口管（１５）の間を流れる。これは、少なくとも２つの異なる振動周波数を生じるが、その合計および差も高調波として出現する。最後に、図６においては、ナノ微粒子（１）は周囲の励起場（２５）中に示され、陽イオンおよびより小さい陽子（２３）はＯ+のようにその表面に示されている。
【０１４３】
簡単にするために、３つの外部電場、すなわち外部電磁場、赤外場の電気成分、および振動中のプラズマ密度の非平衡に基づく電場を追加し、励起場（２５）として示した。
【０１４４】
励起場（２５）は、ナノ微粒子（１）に対して分極効果を有する。したがって、電子（３）の雲は、もはや均一に分布しない。この分極のために、推定１０11Ｖ／ｃｍの電場勾配がナノ微粒子（１）の極間に形成される。この巨大な励起場は、ＷｉｄｏｍおよびＬａｓｓｅｎによって予測されたように、反応ｅ-＋ｐ+＝ｎ＋νを惹起するのに十分である。こうして生成された超低温低速中性子は、前述したいくつかのエネルギー生成核反応に関与することができる。
【０１４５】
本発明者らの経験によれば、分子結合は、入口出力密度が適切な場合、音響共振器（１０）を通る定常流において高温で不可逆的に切断される。
【０１４６】
本発明者らは、圧力１バール、温度２０℃、入力１ｋＷｈでＣＯ2  ３．４ｋｇを切断することができた。小型の５００ｃｍ3  Ｐｏｌｓｋｉ  Ｆｉａｔエンジンの排ガスは入力５００Ｗで開裂し、排気ＣＯ2は２％を超えず、ＣＯレベルは許容値内であった。
【０１４７】
各場合において、エネルギー利得率は有用値１０を超えた。これらの結果の技術的使用、すなわちナノサイズの微粒子による電場増幅を使用すること、および電弱相互作用に基づくその結果としての核反応は、本発明の対象である。
【０１４８】
本発明者らはプラズマ中の別の相互作用を除外することはできないが、これは妥当な物理的メカニズムである。最大圧力位置（１１ｂ）における定在圧力波のピーク値のように、プラズマプロセスの計算は、まだ不確かである。しかし、それは実用化を妨げるものではない。
【０１４９】
本発明者らのプロセスにおいて、本発明者らは既存のプラズマに炭素微粒子を添加し、入力を削減する。または本発明者らは、高電場強度の定在波が存在し、それが装置を加熱する場所に炭素微粒子が配置されるようにして、装置を強熱する。
【０１５０】
次いで複数の高振幅共鳴ピークを有し、それに少量の水素同位体を添加する、微粒子プラズマが音響共振器中に形成される。本発明者らの仮定によれば、核エネルギーを生成するＬａｒｓｅｎ−Ｗｉｄｏｍ型プロセスは、微粒子表面で起こる。
【０１５１】
本発明者らの音響共振器においては、プラズマの体積は、周囲圧力および温度並びに７００〜１０００Ｗ電力の入力で約５００ｃｍ3である。同じ量のプラズマの場合、Ｓｕｌｌｉｖａｎ等の実験においてはマイクロ波吸収効率が振動微粒子プラズマの非存在下では低いので、約７０ＫＷの電気エネルギー入力が必要である。
【０１５２】
本発明者らのプロセスの技術的利点は、核プロセスによって放出されるエネルギーが入力電気エネルギーを増大させることである。
【０１５３】
入力エネルギーの一部を使用して、分子結合を切断し（プラズマ化学反応）、これまで使用された他のプラズマプロセスに比べて廃熱に変わるエネルギーが少ない。
【０１５４】
炭素を用いた共鳴コンプレックスプラズマは、種々の形状および圧力で形成することができるが、どんな技術的パラメータでも形成されるわけではない。同じプロセスパラメータが別の機械で確実に起こるようにプロセスを一義的に特徴づける単一のパラメータはない。
【０１５５】
この微粒子プラズマは非線形であり、自己組織化するので、無秩序なプロセスも存在する。したがって、プラズマは、一つの状態から別の状態に不規則にジャンプする。
【０１５６】
１セットのパラメータで作動する機械が存在するとき、それは常に効果を再現するが、形状、励起電磁放射の周波数、もしくは音響周波数が変化すると、または圧力が変化すると、プラズマが消滅することがある。
【０１５７】
本発明者らは、ＣＯ2分解の場合のいくつかの技術的使用を例として述べる。この記述は、すべての可能な適用例の正確な形態およびサイズに至るまで詳細なものではない。恐らく、数百の異なる機械を設計することができる。
【０１５８】
内燃機関は、数立方メートルから数メートルのサイズでそのサイズにすき間なく連続的に製造することができるが、これは本発明者らの場合には当てはまらない。装置が効率的に作動する範囲内の「パラメータのクラスター」しか存在せず、可能なサイズ範囲がかなり減少する。
【０１５９】
本発明によるプロセスおよび装置を説明するために、ＣＯ2サーマライザー装置の構成を例として示す。微粒子プラズマの好ましい諸性質は、微粒子表面の電場、およびプラズマ共鳴振動の大きい振幅に基づく。この効果の技術的適用例を図８〜図１０に示す。
【０１６０】
プラズマ状態は、図８において、共鳴並列回路、集中定数回路を用いて、周波数２００ＭＨｚまで励起される。このプロセスは、数百パスカルの圧力で強熱することができる。次いで、定常状態温度に達した後、圧力を増加させることができる。電源（４０）は、配線（４１）を介して振動子（１２）を駆動し、振動子は、半導体または電子管を用いて組み立てることができる。
【０１６１】
振動子（１２）は、エネルギーをプラズマに結びつけるソレノイド（１３）を振動磁場により駆動する。並列共振回路は、電流共振によってうまく作動する。コンデンサ（１９）は、振動電気エネルギーを貯蔵するにすぎない。音響共振器（１０）は、電気絶縁耐熱材料でできている。円柱状の音響共振器は、この適用例にとって適切な形態である。
【０１６２】
誘導プラズマ加熱は、最高１〜２ｍ3の体積でも有利であり得る。その場合、プラズマをアーク放電によって予熱することが好ましい。
【０１６３】
図９に示した直列共振回路は、容量プラズマ励起が最も有利である。このプロセスの欠点は、大気圧において、励起場が電荷遮へいのために縮小されるので、環状の第１電極（１６ａ）と第２電極（１６ｂ）の距離が約１〜５ｍｍであることである。
【０１６４】
単純な絶縁体をこの限界を超えて使用することはできないので、振動子電圧が２０〜３０ｋＶを超える価値はない。したがって、音響共振器（１０）は短い。少数の最大圧力位置（１１ｂ）が存在するにすぎない。この効果を開始するために、音響共振器（１０）をアーク放電またはグロー放電で予熱することが役立つ。このシステムは、数百ｃｍ3、および数トールの初期圧力で有用であり得る。
【０１６５】
少量のＣＯ2を熱運動化するために、図１０に示すようにマイクロ波駆動装置が必要である。この方法の欠点は、同じ空洞が、通常、電磁空洞共振器と音響共振器の両方に適切であるわけではないことである。
【０１６６】
したがって、電磁空洞共振器（３０）は、音響共振器（１０）と必ずしも同じ形状ではない。電磁空洞共振器は、銀、銅などの高導電率金属でできていることが重要であるが、これらの材料は低融点であり、腐食を受けやすい。モリブデンはより望ましいが、やはり腐食を受けやすい。したがって、ステンレス鋼が良好な妥協案である。
【０１６７】
音響共振器（１０）は、石英のような電気絶縁材または耐熱セラミック化合物でできているべきである。音響共鳴のために、機械的応力が存在する。これは、少なくとも１〜２ｍｍの壁厚が音響共振器（１０）に必要であることを意味する。通常のホウケイ酸ガラスは、融点が低いので音響共振器（１０）には不向きである。
【０１６８】
プラズマ自体が伝導性であるので、電磁空洞共振器（３０）は、伝達技術の常法によって設計することはできない。インピーダンス変成器として役立つ、マイクロ波振動子（１２）と電磁空洞共振器（３０）間の導波路（１７）を設計することは困難である。
【０１６９】
マイクロ波導波路は考案されているが、本発明者らの場合においては、伝達技術において知られている直接の方法で設計することはできない。
【０１７０】
その他の点では、導波路（１７）および電磁空洞共振器（３０）の適切な設計は専門家によく知られている。
【０１７１】
横方向の電磁波のための電磁空洞共振器（３０）は、矩形状、円柱状または球状で設計することができる。後者は、その表面に適切な観察窓を設けることが困難であり、球状の電磁空洞共振器を作製することはより高価であるとの欠点がある。
【０１７２】
音響共振器（１０）は、電磁空洞共振器（３０）内の定常電波の強度が最高である場所に設置しなければならない。
【０１７３】
本発明による適切な構成を図１１に示す。
【０１７４】
それは、開口を備えた球状の音響共振器（１０）を特徴とする。こうして、ヘルムホルツ共鳴器は、入口同調開口（２１）も音響周波数に影響を及ぼす場所である。分解される材料は、コンプレックスプラズマが形成されるのに必要であるナノ微粒子（１）と一緒に入口同調開口（２１）を通って流入する。音響共振器は、振幅を最大にするためにできるだけ球状にすることが重要である。
【０１７５】
音響共振器（１０）は、電磁定在波の最大振幅が電磁空洞共振器（３０）内のその幾何的中心以外のどこかであるので、電磁空洞共振器（３０）の底部に置くことはできない。絶縁台（１８）は、振動の減衰を最小にして音響振動の振幅が減少しないように硬質材料でできているべきである。
【０１７６】
球状の音響共振器の直径は５〜１５ｃｍに維持される。直径が大きいほど、マイクロ波は、通常の１ｋＷ電力レベルでプラズマにより深く侵入することができなくなる。したがって、プラズマの中央部を励起させることができない。直径を小さくすることは、体積が小さくなるので適切でない。音響共振器は、石英またはセラミックでできている。
【０１７７】
熱運動化されるガス、すなわちＣＯ2の速度が速すぎる場合、プラズマは音響共振器（１０）から流出する。したがって、プロセス効率が低下し、電磁空洞共振器（３０）が溶融する。（本発明の例として）図１１の構成は、周波数範囲２〜５ＧＨｚにおける連続運転のためにマグネトロンを用いて運転される。
【０１７８】
より高い周波数においては、進行波管、ジラトロン（ｇｉｒａｔｒｏｎ）などの別の振動子を使用することができるが、より高い電力ではそれらは効率がはるかに低い。２ＧＨｚを超える電磁波は、予熱の必要がないので使用することができる。
【０１７９】
製造がより困難ではあるが、球状の音響共振器（１０）は、その相対体積が小さくなるため、円柱状の音響共振器（１０）よりも適切である。
【０１８０】
出口同調開口（２０）および入口同調開口（２１）の設計は、通常の線形音響媒体規則に従うことができない。開口（２０、２１、３２）または更なる円柱状開口の長さおよび直径は、微粒子プラズマ音響振動の数および振幅に影響を及ぼす。
【０１８１】
音響共振器（１０）の球状または円柱状の体積はスプリングであり、コンプレックスプラズマはスプリングとして非線形である。本発明者らのシステムは極めて非線形であり、したがってシステムは狭いパラメータセット内でのみ効率的に作動する。
【０１８２】
電磁空洞共振器（３０）は、その形状にかかわらず、研磨された鏡面状の内表面を有するべきである。これは、振動プラズマの赤外線、可視光線および紫外線を反射するのに必要であり、その結果、ナノサイズの微粒子（１）が再放射され、システムの効率を改善する。
【０１８３】
透明ガラス管（２９）は、同じ理由で必要である。運転中、それは音響共振器（１０）の断熱材として役立ち、その結果、熱損失が少ない。したがって、プラズマを維持するのに必要なエネルギー入力が少ない。
【０１８４】
出口同調開口（２０）および入口同調開口（２１）を通って音響共振器（１０）から出た反応性イオンは、電磁空洞共振器（３０）の研磨された内表面を腐食しない。
【０１８５】
熱化中の最も重要なパラメータは以下の通りである。
【０１８６】
振動子（１２）の電力入力（運転中に調節可能）、プラズマが音響共振器（１０）から流出しないガス（例としてＣＯ2）入口質量流束、装置内圧力、ナノ微粒子の密度、およびシステム中の水素同位体量。
【０１８７】
図１１に示したパラメータに従って作動するが、音響共振器（１０）と電磁空洞共振器（３０）の両方が球状である、システムの構成を図１２に示す。
【０１８８】
電磁空洞共振器（３０）の内表面（３１）も鏡面である。この精細な内表面は、その内表面（３１）を保護する球状石英層（透明な耐熱ガラス）（３３）によって包囲されている。
【０１８９】
入口管（１４）および出口管（１５）は、電磁空洞共振器（３０）の金属製の壁を貫通して、熱運動化されるＣＯ2またはＨ2Ｏガスを流入および流出させる。圧力約１バールにおける強熱および作動温度は、音響共振器（１０）内で約２，０００℃である。
【０１９０】
周波数数ＭＨｚおよび数１００Ｐａで運転される、本発明を利用する別の適切な方法を図１３に示す。
【０１９１】
高電場強度が内部電極（５０）と外部電極（５１）の間で得られるので、容量性の運転が極めて適切である。（簡単にするために、ガス入口管および真空ポンプ出口は示されていない）。
【０１９２】
この構成の顕著な特徴は、１０ＭＨｚ未満で運転すべきである「Ａｖｒａｍｅｎｋｏプラグ」である。配線（８１）は、コンデンサ（８３）および負荷装置（８４）に連結された「半Ｇｒａｅｔｚ」接続としてダイオード（８２）に接続されている。
【０１９３】
プラズマが振動し、過剰の熱エネルギーが発生すると、高振幅振動が外部電極（電機子）（５１）上で検出される。それらは、低周波「Ａｖｒａｍｅｎｋｏプラグ」によって、かつフェライト磁心または空心変成器を含む振動回路を用いて、捕獲される。簡単にするために振動回路は１つのみ示されている。
【０１９４】
一次コイル（５９）の一方側の端部は外部電極（５１）の振動エネルギーを吸収し、他方側の端部は地電位（５７）に接続されている。二次コイル（５８）は同調回路の同調コンデンサ（５６）に接続され、この回路は負荷装置（８４）を有する。
【０１９５】
本発明の一形態の構成を図１３に示す。その周波数は、同調コンデンサ（５６）によって調節される。内部電極（５０）の電位は配線によって設定され、電気絶縁体（５２）を介して伝導され、それはその位置を機械的に確保する。
【０１９６】
このシステムは、数百度で作動し得るので、組立ておよび運転が簡単である。それは、図１１および図１２に示したものよりも単位体積当たりの出力が低い。圧力は、本発明者らが内部電極（５０）と外部電極（５１）の間の定在波数を最大にするように設定すべきである。
【０１９７】
熱の大部分は定在波の頂上（１１ａ）で生成される。というのは、（図７に示す）ナノ微粒子（１）間の電場勾配とその分極が最大であるからである。定在波の四分の一波長内の「高温」および「低温」位置が存在する。低温位置は最大圧力位置（１１ｂ）であり、そこの圧力および電場勾配はゼロである。これは、低開口設定の高速カメラを用いて可視化することができる。
【０１９８】
異なる周波数および電力に対してマグネトロンおよびジラトロンのような種々のマイクロ波振動子が存在するが、マグネトロンがより実用的である。電力は変換され、電源（４０）から配線（４１）を介して振動子（１２）および導波路（１７）に輸送されるが、電力損失を最小化するために慎重なインピーダンス整合が必要である（これはだれもが利用できるノウハウである）。
【０１９９】
本発明者らは、振動コンプレックスプラズマがＣＯ2のような分子の熱化に適切であることを発見した。これは、高振幅プラズマ振動を用いると、ある周波数がＣＯ2分子の回転および並進周波数に近づくので可能である。ナノ微粒子（１）の電場においては、ＣＯ2分子の陽イオン（２）が加速され、その結果として酸素原子が分子から分解する。
【０２００】
このプロセスは、炭素原子が配列してクラスターになり、炭素微粒子を形成し、プロセスの最後に収集される傾向があるので、主に不可逆的である。ナノ微粒子（１）の存在を維持することが重要である。
【符号の説明】
【０２０１】
１     ナノ微粒子（微粒子）
２     陽イオン
３     自由電子（電子）
４     電場
１０   音響共振器
１１ａ 頂上
１１ｂ 最大圧力位置
１２   マイクロ波振動子（振動子）
１３   ソレノイド
１４   入口管
１５   出口管
１６ａ 第１電極
１６ｂ 第２電極
１７   導波路
１８   絶縁台
１９   コンデンサ
２０   出口同調開口
２１   入口同調開口
２２   中性ＣＯ2分子（中性分子）
２３   陽子
２５   外部励起場（励起場）
２６   空間電荷
２９   透明ガラス管
３０   電磁空洞共振器
３１   内表面
３２   同調開口
３３   耐熱ガラス
４０   電源
４１   配線
５０   内部電極
５１   外部電極（電機子）
５２   電気絶縁体
５４   二次コイル
５５   一次コイル
５６   同調コンデンサ
５７   地電位
５８   二次コイル
５９   一次コイル
８１   配線
８２   ダイオード
８３   コンデンサ
８４   負荷装置
１００ 内燃機関
１０１ 緩衝装置
１１０ 発電機
１１１ 蓄電池
１２０ 触媒式排気ガス浄化装置
２００ 外部燃焼機関（スターリングエンジン）
３００ 熱交換器
３０１ 排水管
３０３ ボンベ
３０４ 減圧装置
３０５ 空気取入口
【図１】
2014522480.tif 000004
【図２】
2014522480.tif 000005
【図３】
2014522480.tif 000006
【図４】
2014522480.tif 000007
【図５】
2014522480.tif 000008
【図６】
2014522480.tif 000009
【図７】
2014522480.tif 000010
【図８】
2014522480.tif 000011
【図９】
2014522480.tif 000012
【図１０】
2014522480.tif 000013
【図１１】
2014522480.tif 000014
【図１２】
2014522480.tif 000015
【図１３】
2014522480.tif 000016
【図１４】
2014522480.tif 000017
【図１５】
2014522480.tif 000018
【図１６】
2014522480.tif 000019
【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
共鳴ナノ微粒子プラズマを用いた再生可能エネルギー生成プロセスであって、
前記再生可能エネルギー生成プロセスは、
電磁空洞共振器、前記電磁空洞共振器内に置かれて共振器ユニットを形成する音響共振
器と、前記共振器ユニットによって生ずる音響共鳴と、を応用し、
前記音響共鳴は、
質量比１％未満の水素同位体と好ましくはこれに空気を加えた混合物、または質量比１
％未満の水素同位体と好ましくはこれに１％水素とヘリウムを加えた混合物、のいずれか
と、
１００ナノメートル程度および全炭素質量０．５ｇ未満のサブミクロンサイズ炭素微粒
子と、から、
周波数スペクトル５Ｈｚ〜５ＧＨｚ、１，０００℃〜３，０００℃および平均２，００
０℃の温度で１２０ｄＢを超えて生成され、
外部励起場の出力密度が２，０００Ｗ／ｄｍ3未満であり、電磁波が電磁空洞共振器の
内表面で反射され、それによって炭素微粒子の表面に振動を生じて電場増幅を起こし、
こうして１０ｋＨｚ〜５ＧＨｚおよびＴＨｚ（テラヘルツ）範囲で振動するプラズモン
ポラリトンを用いたエネルギー生成および核変換プロセスを生じ、熱または電気エネルギ
ーを生成すること、もしくは核変換を生ずることを特徴とする再生可能エネルギー生成プ
ロセス。
【請求項２】
電磁波によって励起される電磁空洞共振器および前記電磁空洞共振器内に置かれて共振
器ユニットを形成する音響共振器から構築される再生可能熱発生装置であって、
ナノサイズ微粒子が、鏡面状の内表面を有する矩形状または円柱状の電磁空洞共振器に
特定の周波数で振動し、
前記電磁空洞共振器中に電気絶縁耐熱性材料で製作された音響共振器が置かれ、
前記音響共振器は円柱状であり、少なくとも１つの同調開口を入口側と出口側の各々に
有するとともに絶縁脚上に載置され、
さらに前記音響共振器が、
１ＧＨｚを超える周波数で電磁波を生成する振動子に接続された導波路を介して、前記
音響共振器を大気圧以上で少なくとも平均温度２，０００℃に加熱できるように透明な断
熱管に納められることを特徴とする再生可能熱発生装置。
【請求項３】
電磁場によって励起される電磁空洞共振器およびいくつかの音響共鳴を有する音響共振
器によって形成され、共鳴プラズマがナノサイズ微粒子を含む再生可能熱発生装置であっ
て、
球状の電磁空洞共振器が球状の音響共振器を包囲し、
前記電磁空洞共振器が、透明耐熱ガラスで覆われた鏡面状の内表面を有し、
前記音響共振器が、耐熱セラミック材料から成るとともに少なくとも１つの同調開口を
入口側と出口側の各々に有し、さらに絶縁脚上に載置され、大気圧以上で少なくとも平均
温度２，０００℃で運転されることを特徴とする再生可能熱発生装置。
【請求項４】
同心球状の内部電極および外部電極における共鳴微粒子プラズマにより作動し、それに
よって前記内部電極が電力供給装置に接続され、前記外部電極が負荷装置に接続され、
入力電力が、電源，振動子，一次コイル，二次コイルによって供給され、
前記負荷装置が、振動回路を介して前記外部電極に接続された再生可能電気エネルギー
生成装置であって、
前記内部電極が、
数ｋＨｚ〜数ＭＨｚの振動周波数で作動する炭素またはカルボシリカートから成り、二
次側変成器の一方側の端部に接続され、前記二次側変成器の他方側の端部は接地され、さ
らに前記外部電極から絶縁されており、
前記外部電極が、
球状であり、電気絶縁耐熱層で覆われた鏡面状の内表面を備え、
さらに前記再生可能電気エネルギー生成装置が、
約２０Ｐａで作動し、最高温度５００℃で適切に運転され、さらに前記外部電極が同調
振動回路に単線を介して接続されていることを特徴とする再生可能電気エネルギー生成装
置。
【請求項５】
集中定数を有し、振動子および共振回路を備え、微粒子を有する音響共振器を含むエネ
ルギー生成装置であって、
最高１０ＭＨｚ周波数の石英またはパイレックス（登録商標）製の円柱状または球状の
音響共振器が、共鳴振動回路を用いるかまた別の構成により、振動容量または誘導駆動プ
ラズマに連結され、
それによって前記音響共振器が、導波路を介して駆動された電磁空洞共振器内で駆動さ
れることを特徴とするエネルギー生成装置。
【請求項６】
前記電磁空洞共振器が、前記電磁空洞共振器内の音響共鳴ピークの最大数の微同調を可
能にする、長さおよび直径の調節が可能な入口管を有することを特徴とする請求項２また
は３に記載の再生可能熱発生装置。
【請求項７】
制御された様式で添加された重水素、リチウムおよびホウ素を用いて、並びに音響周波
数の同調によって、核変換の品質に影響を及ぼす請求項２または３に記載の再生可能熱発
生装置を、直列に配置したことを特徴とする請求項１に記載の再生可能エネルギー生成プ
ロセス。
【請求項８】
共振器ユニットの入口管が、内燃機関につなげられた緩衝装置の排気管に接続され、
排ガスが、ナノサイズ炭素微粒子およびガスに熱運動化される前記共振器ユニットに導
入され、
さらに、前記ナノサイズ炭素微粒子が前記共振器ユニットの出口管を介して除去され、
前記出口管から出た高温ガスが、スターリングエンジンに導入され、次いで熱交換器に
導入され、水が部分的に凝縮されて前記熱交換器の管を介して除去され、
残りのガスが、前記内燃機関の空気取入口に再導入される閉循環回路であることを特徴
とする請求項１に記載の再生可能エネルギー生成プロセス。
【請求項９】
共振器ユニットが、流出ＣＯ2ガスを熱運動化するために内燃機関につなげられた緩衝
装置の排気管に接続され、
前記共振器ユニットの出口管が外部燃焼機関に接続され、
前記外部燃焼機関に触媒式排気ガス浄化装置が接続されることを特徴とする請求項２に
記載の再生可能熱発生装置。
【請求項１０】
共振器ユニットが、流出ＣＯ2ガスを熱運動化するために内燃機関につなげられた緩衝
装置の排気管に接続され、
前記共振器ユニットの出口管が、触媒式排気ガス浄化装置に接続されることを特徴とす
る請求項２に記載の再生可能熱発生装置。
【請求項１１】
前記電磁空洞共振器が、前記電磁空洞共振器内の音響共鳴ピークの最大数の微同調を可
能にする、長さおよび直径の調節が可能な入口管を有することを特徴とする請求項５に記
載のエネルギー生成装置。
【国際調査報告】
2014522480.tif 000020